(57)【特許請求の範囲】
【請求項１】
踏み板の基端に蹴上げ板を立設して基板片とし、２段又は３段以上の多数段の基板片から段床基板を構成し、該段床基板の最下位置の踏み板部の先端縁に、他の段床ユニットの蹴上げ板の上端と接合できる接合部を形成し、前記踏み板のうち最上段の踏み板の基端側に、前記踏み板の表面から下方に向けて突出した高さ調節手段を取付けしたことを特徴とする段床ユニット。
【請求項２】
段床基板の裏面両端部に、該段床基板の進行方向に沿った補強プレートを立設固定した請求項１記載の段床ユニット。
【請求項３】
踏み板の基端縁に蹴上げ板を立設してなる２段又は３段以上の基板片から段床基板を構成し、該段床基板の最上段の踏み板に、該踏み板の表面から下方に向けて突出した高さ調節手段を設けて段床ユニットを構成し、所定の段床構築位置に配置された受梁上に、前記段床ユニットを前記受梁に沿って階段状に重ね、隣接する段床ユニットを連結すると共に、前記段床ユニットを前記受梁に固定したことを特徴とする段床構造。
【請求項４】
踏み板の基端縁に蹴上げ板を立設してなる２段又は３段以上の基板片から段床基板を構成し、前記踏み板の裏面に高さ調節手段を設けて段床ユニットを構成し、所定の段床構築位置に配置された受梁上に、段床ユニットを並列して載置し、隣接する段床ユニットの前後方向の位置調節をすると共に、前記段床ユニットの表面側から前記高さ調節手段で上下方向のレベル調節した後、受梁と各段床ユニットとを固定材を介して固定すると共に、隣接する段床ユニットを接合して段床ユニットを固定することを特徴とする段床の構築方法。
【発明の詳細な説明】
【０００１】
【発明の属する技術分野】
この発明は、鋼板からなる段床ユニット、段床ユニットから構築される段床構造、段床の構築方法に関する。
【０００２】
【従来の技術】
スタジアムなど、アリーナの周囲に広範囲な面積の客席を設けるために段床が形成される。この際、スタジアムの競技種目や使用目的により客席の配置を変更するために、可動式とする場合が多く、段床の軽量化が求められている。また、従来の鉄筋コンクリートで構成する段床では、コンクリートの収縮作用等に起因するひび割れ等が生じる場合が多い。
【０００３】
従って、段床を鋼板で構成することが望ましく、この場合、形成予定の段床に沿って傾斜して配置された鉄骨梁４８、４８間に、段床を構成する板状又は階段状に屈曲した鋼板からなる床材４９、４９を載置して、床材４９と鉄骨梁４８と、隣接する床板４９同士は溶接により接合していた。また、必要ならば鉄骨梁４８の長さ方向に、上縁を床材に対応した階段状の支持板５０を固定して、その上に床材４９、４９を載置して溶接していた（図１１（ａ）（ｂ））。
【０００４】
【発明が解決しようとする課題】
前記従来技術の場合、溶接作業は、床材４９の表面４９ａ側及び裏面４９ｂ側からの作業を必要とし、一般に裏面４９ｂ側では、仮設足場を組んだ高所作業となり、また溶接作業空間が充分取れないと共に、上向きの溶接作業となる場合があったので、作業の安全性と溶接品質の確保をはかるため対策を必要とする問題点があった。また、強度面からは全縁に沿った溶接を要し、床材４９、４９にひずみが発生し易い問題点があった。
【０００５】
【課題を解決するための手段】
然るにこの発明は、端縁に接合部を有し、下方に向けた高さ調節手段を形成して段床ユニットを構成すると共に該段床ユニットを使用して段床を構築するので、前記問題点を解決した。
【０００６】
即ちこの発明は、踏み板の基端に蹴上げ板を立設して基板片とし、２段又は３段以上の多数段の基板片から段床基板を構成し、該段床基板の最下位置の踏み板部の先端縁に、他の段床ユニットの蹴上げ板の上端と接合できる接合部を形成し、前記踏み板のうち最上段の踏み板の基端側に、前記踏み板の表面から下方に向けて突出した高さ調節手段を取付けしたことを特徴とする段床ユニットである。前記において、段床基板の裏面両端部に、該段床基板の進行方向に沿った補強プレートを立設固定することが望ましい。
【０００７】
また、この発明は、踏み板の基端縁に蹴上げ板を立設してなる２段又は３段以上の基板片から段床基板を構成し、該段床基板の最上段の踏み板に、該踏み板の表面から下方に向けて突出した高さ調節手段を設けて段床ユニットを構成し、所定の段床構築位置に配置された受梁上に、前記段床ユニットを前記受梁に沿って階段状に重ね、隣接する段床ユニットを連結すると共に、前記段床ユニットを前記受梁に固定したことを特徴とする段床構造である。
【０００８】
更に、この発明は、踏み板の基端縁に蹴上げ板を立設してなる２段又は３段以上の基板片から段床基板を構成し、前記踏み板の裏面に高さ調節手段を設けて段床ユニットを構成し、所定の段床構築位置に配置された受梁上に、段床ユニットを並列して載置し、隣接する段床ユニットの前後方向の位置調節をすると共に、前記段床ユニットの表面側から前記高さ調節手段で上下方向のレベル調節した後、受梁と各段床ユニットとを固定材を介して固定すると共に、隣接する段床ユニットを接合して段床ユニットを固定することを特徴とする段床の構築方法である。
【０００９】
【発明の実施の形態】
踏み板１、蹴上げ板４、踏み板１、蹴上げ板４とが階段状に連続して形成され、最下段の踏み板１の先端２に、下方に向けた接合片６を有する段床基材１０を構成する。各踏み板１、１の裏面（下面）１ｂに、補強材１２を溶接する。段床基材１の裏面には階段状に沿って、かつ巾方向の所定間隔毎に補強プレート１９、２１、２８を固定する。最上段の踏み板１の基端３側に下方に向けて突出させたアジャストボルト３５を取付けて、段床ユニット３８を構成する（図９等）。
【００１０】
この段床ユニット３８、３８を、段床構築位置で、受梁４０、４０に沿って並列して階段状に架設する。アジャストボルト３５で高さ調節した後、受梁４０と各段床ユニット３８とを、固定材４２を介して、固定する。また、隣接する段床ユニット３８を、上方の段床ユニット３８の接合片６と、下方の段床ユニット３８の蹴上げ板４の上端とを接合する。以上のようにして段床構造４４を構築する（図１、２等）。
【００１１】
【実施例１】
図８〜９に基づきこの発明の段床ユニットの実施例を説明する。
【００１２】
鋼板を屈曲して、踏み板１と蹴上げ板４とを有する第一基材片７、第二基材片８とを夫々形成する。前記第一基材片７は、踏み板１の先端２に下方に屈曲した接合片６を有し、踏み板１の基端３に蹴上げ板４が立設されている。同様に、第二基材片８も、踏み板１の先端２に下方に屈曲した接合片６を有し、踏み板１の基端３に蹴上げ板４が立設されている（図９）。また、前記各踏み板１の裏面（下面）１ｂ、蹴上げ板４の裏面４ｂで、両端部には、夫々補強板１６が溶接されている（図１、図７〜図９）。
【００１３】
前記第一基材片７の蹴上げ板４と第二基材片８の接合片６とを、リベットで接合すると共に表面側を溶接して、２段分の階段状の段床基材１０を構成する（図９）。前記段床基材１０は第一基材片７側の踏み板１の先端２は下方に屈曲された接合片６が形成されている。前記第一基材片７の踏み板１の接合片６は他の段床ユニットの蹴上げ板４と当設して接合するために使用される。
【００１４】
前記段床基材１０の踏み板１の裏面１ｂに、角鋼管からなる補強材１２が前記段床基材１０の巾方向のほぼ全長に亘って固着されている。
【００１５】
また、段床基材１０の蹴上げ板４の裏面４ｂ側には、座席固定位置に対応した座席取付用補強金具１７を固定する（図１０（ｃ））。
【００１６】
また、前記段床基材１０の巾方向両端部に、端縁から所定距離宛、離して段床基材１０の裏面１０ｂに沿って、階段状の第一補強プレート１９を立設固定する。前記補強材１２の巾方向の両端１２ａ、１２ａは第一補強プレート１９に当設して溶接されている（図８、図１０（ａ））。
【００１７】
また、前記段床基材１０で、前記座席取付用補強金具１７の位置毎に、前記第一補強プレート１９より高さ（踏み板１の裏面１ｂからの距離）が低い第二補強プレート２１を立設する。この第二補強プレート２１は、前記補強材１２が横断できるように上縁２２側に切り欠き２４が形成されている。また、下縁２３側には、前記切り欠き２４に対応した突部２５が形成され、上縁２２と下縁２３とが同じ縁を構成するような形状に構成されている。従って、該第二補強プレート２１を大形の鋼板から切り抜く際に材料取りに無駄が無いと共に、製造効率を高められる。また、第二補強プレート２１は前記座席取付用補強金具１７が貫通する切り欠き２６が形成されている（図８、図１０（ｃ））。
【００１８】
また、前記第二補強プレート２１より高さの低い小形の第三補強プレート２８を構成し、前記第二補強プレート２１、２１の間隙に、第二補強プレート２１と並列して設ける。この第三補強プレート２８には、上縁２９側に補強材１２用の切り欠き３１は形成されているが、座席取付用補強金具１７用の切り欠き２６は形成されていない。また、下縁３０側には、前記切り欠き３１に対応した突部３２が形成され、第二補強プレート２１と同様に上縁２９と下縁３０とが同じ縁を構成するような形状に構成されている（図８、図１０（ｂ））。
【００１９】
また、段床基板１０の第二基材片８の踏み板１の基端３側で巾方向の両端部に、透孔を穿設し、該透孔と連通するように踏み板１の裏面（下面）１ｂにナット３４を溶接し、表面（上面）１ａ側からナット３４に向けてアジャストボルト３５を軸を下方に突出するように螺合して、高さ調節手段を構成する。
【００２０】
以上のようにして、段床ユニット３８を構成する（図８、図９）。
【００２１】
前記実施例において、基材片７、８はリベットと溶接で接合したが、リベットのみ、溶接のみ又は他の接合手段で溶接することもできる（図示していない）。また、段床基材１０は１段分の基材片７、８を接合して構成したが、鋼板を屈曲して２段分の段床基材１０を構成することもできる（図示していない）。
【００２２】
また、段床基材１０は、２段分で構成したので、製造効率や構築現場への搬送、構築現場での組立などにおいて効率的であるが、材厚などを考慮すれば、３段以上とすることもできる（図示していない）。
【００２３】
また、前記実施例において、前記補強材１２は、踏み板１を補強するもので、角鋼管を使用したが、山形鋼、溝型鋼、Ｈ型鋼等の各種型鋼や鋼板などで構成することもできる（図示していない）。
【００２４】
また、前記実施例において、従来の階段でなされているように、踏み板１の表面（上面）１ａに各種石材、モルタル類、木材、樹脂等からなる板を取り付けて、歩行時の安定性を高め、鳴りの防止等を図ることもできる（図示していない）。
【００２５】
また、同様に、補強材１２の中空部１３内、あるいは補強材１２と踏み板１の裏面１ｂとの間に中空部を形成し、これらの中空部内に、モルタルなどの水硬性材料や各種樹脂類等を注入して、踏み板１の歩行時の鳴り等を防止することもできる（図示していない）。
【００２６】
【実施例２】
次に、図１乃至図７に基づき、前記実施例の段床ユニット３８を使用したこの発明の段床構造の構築方法を説明する。
【００２７】
（１） 段床構築予定位置には、受梁（Ｈ型鋼）４０が斜めに架設されており、アジャストボルト３５位置に対応して、水平材（アングル鋼）４１が前記受梁４０上に架設されている。段床ユニット３８、３８は工場で製造され、構築現場に搬入される。
【００２８】
（２）例えば、巾Ｄ（＝約５００ｃｍ）、１段分の踏み面長さＬ（＝約８５ｃｍ）、蹴上げ高さＨ（＝約３５ｃｍ）に形成した段床ユニット３８、３８を順次並べる（図１、図２）。
【００２９】
この際、段床ユニット３８のアジャストボルト３５の先端３６を受梁４０の水平材４１に載置し、その水平材４１の上方で、段床ユニット３８の第二基材片８の蹴上げ板４の上縁５に次階の段床ユニット３８ａの第一基材片７の踏み板１の裏面１ｂ先端２が載置され、次階の段床ユニット３８ａの接合片６が段床ユニット３８の第二基材片の蹴上げ板４の表面４ａ側に位置している（図９、図８、図２）。
【００３０】
（３）各段床ユニット３８、３８ａ、・・・の前後方向４６（階段の上昇方向。図１）の位置を調節をする。次に、水平材４１の上面に、段床ユニット（第二基材片８の蹴上げ板４の裏面４ｂ）に当接する断面略Ｌ字状の鋼材からなる固定材４２を載置する。続いて、水平材４１と固定材４２とを、互いに溶接する（図９、図８、図２、図１）。この作業も各段床ユニット３８、３８ａ、・・・の表面側からできる。
【００３１】
（４）各段床ユニット３８、３８ａ、・・・の両端部のアジャストボルト３５、３５を回動して、上下方向のレベルを調節する（図９）。この作業は各段床ユニット３８、３８ａ、・・・の表面側から行うことができる。
【００３２】
（５）以上のようにして、所定範囲に段床ユニット３８、３８ａ、・・・を取付た後、上下に隣接する段床ユニット３８、３８ａの接合片６と蹴上げ板４とをリベット４３、４３で接合する（図６）。この際リベット打ちは、巾Ｄ方向所定距離（例えば５０ｃｍ程度）毎に、階段ユニット３８、３８ａの表面側からの作業により行う。また、この際、各段床ユニット３８、３８ａの前後方向に多少のずれが発生している場合でも、蹴上げ板４と接合片６との間隙は、両鋼板を傾斜させ、リベットにて両鋼板同士を引き込めるので、その間隙は吸収できる。
【００３３】
（６）続いて、必要ならば、先のリベット止めした接合片６と蹴上げ板４とを必要箇所で溶接する。この作業も階段ユニット３８、３８ａの表面側からできる。
【００３４】
（７）次に、各段床ユニット３８、３８ａ、・・・で、固定材４２と第一基材片７の蹴上げ材４とを互いに溶接する。この作業も段床ユニット３８の蹴上げ板４の表面４ａ側からできる（図９、図８、図２、図１）。
【００３５】
以上のようにして、段床構造４４を構成する（図１、図２）。
【００３６】
前記実施例において、隣接する段床ユニット３８、３８ａの接合片６と蹴上げ片４とのリベット止めは、所定数の段床ユニット３８、３８ａ、・・・を受梁４０に固定した後としたが、受梁４０と固定する前に行うこともできる。また、受梁４０と溶接固定する前に、隣接する段床ユニット３８、３８ａのリベット止めのみをし、その後に隣接する段床ユニット３８、３８ａと受梁４０と溶接固定することもできる。
【００３７】
また、前記実施例において、上下に隣接する段床ユニット３８、３８ａをリベットで接合するので、溶接箇所を大幅に削減できるが、リベット本数を減らした場合であって、表面側からの溶接のみでは強度が不足するおそれがある際には、必要であれば必要箇所で裏面側からも溶接する。この場合でも、裏面側からの溶接作業は大幅に削減できる。
【００３８】
また前記実施例において、段床ユニット３８、３８ａ、・・・の各補強プレート１９、２１、２８は互いに溶接固定することもできる（図３〜図５）。尚、この場合には作業は段床ユニット３８、３８ａ、・・・の裏面側からとなる。
【００３９】
【発明の効果】
接合部を有する段床基板を有する段床ユニットを使用するので、複数段とする段床ユニットを敷きつめるだけで、効率よく段床ユニットを配置でき、また、蹴上げ板と接合部を接合するだけで隣接する段床ユニットを連結できる効果がある。また、前後方向は蹴上げ板と接合部とで、上下方向は高さ調節手段により、夫々表面側からの作業により容易に設置位置の調節が可能である。
【００４０】
また、隣接する段床ユニット同士の接合は蹴上げ板と踏み板に設けた接合部とを重ねてリベット止めを使用して、接合できるので溶接箇所を大幅に削減できる効果がある。従って、ひずみの発生を押さえて段床の品質を高めることができる。
【００４１】
また、構築方法にあっては、段床ユニットの裏面側に向けた高さ調節手段でレベル調節すると共に、受梁と各段床ユニットとは固定材を介して固定されるので、施工精度が高められると共に施工効率も向上できる。
【００４２】
総じて、スタジアム等の広範囲にわたって段床を形成する場合に、段床形成作業の効率及び品質を高めかつ安全に行うことができる効果がある。
【図面の簡単な説明】
【図１】  この発明の段床構造の平面図である。
【図２】  図１のＡ−Ａ線における拡大断面図である。
【図３】  図１のＢ−Ｂ線における断面図である。
【図４】  図１のＣ−Ｃ線における断面図である。
【図５】  図１のＥ−Ｅ線における断面図である。
【図６】  図２のＦ−Ｆ線における断面図である。
【図７】  図２のＧ−Ｇ線における断面図である。
【図８】  この発明の段床ユニットの実施例の縦拡大断面図である。
【図９】  図８のＩ−Ｉ線における断面図である。
【図１０】  （ａ）は図８のＪ−Ｊ線における縮小した断面図、（ｂ）は図８のＫ−Ｋ線における縮小した断面図、（ｃ）は図８のＭ−Ｍ線における縮小した断面図である。
【図１１】  従来例で、（ａ）概略した側面図、（ｂ）は平面図である。
【符号の説明】
１  踏み板
１ａ  踏み板の表面（上面）
１ｂ  踏み板の裏面（下面）
２  踏み板の先端
３  積み板の基端
４  蹴上げ板
４ａ  蹴上げ板の表面
４ｂ  蹴上げ板の裏面
５  蹴上げ板の上縁
６  接合片
７  段床基材片
８  段床基材片
１０  段床基材
１２  補強材
１３  中空部
１７  座席取付用補強金具
１９  第一補強プレート
２１  第二補強プレート
２８  第三補強プレート
３５  アジャスターボルト
３８  段床ユニット
３８ａ  段床ユニット
４０  受梁
４１  水平材
４２  固定材
４４  段床構造
【図１】
0004061608.tif 000002
【図２】
0004061608.tif 000003
【図３】
0004061608.tif 000004
【図４】
0004061608.tif 000005
【図５】
0004061608.tif 000006
【図６】
0004061608.tif 000007
【図７】
0004061608.tif 000008
【図８】
0004061608.tif 000009
【図９】
0004061608.tif 000010
【図１０】
0004061608.tif 000011
【図１１】
0004061608.tif 000012